(57)【要約】【課題】この発明は、溶液上に界面活性剤やアクリルアミドやシアノアクリレート等の接着成分などが混入されていることで発生する軽い泡を確実に破泡させることができ、消泡のための添加物を加える、又は散水を行うなどの追加的な処理を不要とする経済的な消泡装置の消泡体を提供する。【解決手段】回転する上ディスク２１と下ディスク２２との間に、周方向に所定ピッチで破泡室２３を形成する複数の羽根２４を設けた消泡体２０であって、上ディスク２１には、破泡室２３の中心側へ連通する孔２１Ａが形成され、下ディスク２２には、破泡室２３の中心側へ連通する孔２２Ａが形成されることを特徴とする。 【選択図】図２
2014064986.tif 000002
【特許請求の範囲】
【請求項１】
回転する上ディスクと下ディスクとの間に、周方向に所定ピッチで破泡室を形成する複数の羽根を設けた消泡体であって、
前記上ディスクには、前記破泡室の中心側へ連通する孔が形成され、
前記下ディスクには、前記破泡室の中心側へ連通する孔が形成されることを特徴とする消泡体。
【請求項２】
前記羽根は、前記上ディスクと下ディスクとの間に、平面視した場合に、扇型をなす形状に破泡室を形成することを特徴とする請求項１に記載の消泡体。
【請求項３】
前記羽根は、前記上ディスクと下ディスクとの間に、側面視した場合に、内周から外周へ向けて次第に拡大する傾斜状をなす破泡室を形成することを特徴とする請求項１又は２のいずれか１項に記載の消泡体。
【請求項４】
前記羽根は、前記上ディスクと下ディスクとの間に、側面視した場合に、内周から外周へ向けて次第に拡大した後縮小する複数の破泡室を形成することを特徴とする請求項１又は２のいずれか１項に記載の消泡体。
【請求項５】
前記下ディスクの孔は、被処理液上の泡に接触させ、
前記上ディスクの孔は、該被処理液の上方の空気を吸入する位置に配置されることを特徴とする請求項１〜４のいずれか１項に記載の消泡体。
【発明の詳細な説明】
【技術分野】
【０００１】
本発明は、消泡装置の回転軸の先端に取り付ける消泡体に係り、前記回転軸を駆動することで羽根を回転させて被処理液上の泡を破泡させる消泡体に関する。
【背景技術】
【０００２】
従来、容器内の溶液上に存在して、輸送ポンプへの混入によって輸送量不安定の原因となる泡を消失又は破壊させるための消泡装置が、特許文献１及び２に提案されている。
【０００３】
特許文献１に示される消泡装置は、液面上部の水平面内で回転するロータを備えたものである。該ロータは、互いに間隔を有するように配置された上板及び下板と、該上下板間において回転中心部から放射状に配置した複数のフィンとを有し、該ロータの回転によって、該ロータの回転中心側において泡を吸引した後、フィン間を経由して該ロータの外周側にて排出し、これによって消泡処理を行うものである。
【０００４】
特許文献２に示される消泡装置は、泡の吸引空間を有しその周囲に回転軸々方向の多数の垂直翼が放射状に配列された多翼ファンのような吸引羽根を有する。この吸引羽根は、その回転動作により吸引された泡を半径方向外方へ高速排出して、壁面に衝突させ、このときの泡の流れに一時的に生ずる圧力差によって泡を破壊又は破裂するものである。
【先行技術文献】
【特許文献】
【０００５】
【特許文献１】特開２００７−２１６１１３号公報
【特許文献２】特開第３６９４４６１号公報
【発明の概要】
【発明が解決しようとする課題】
【０００６】
ところで、特許文献１及び２に示される消泡装置は、いずれも回転体の中心部から吸い込んだ泡を、該回転体の遠心力により外方に高速排出して消泡処理する圧縮型羽根を有する構造である。
しかしながら、溶液に界面活性剤が混入されていることで膜厚の薄い「軽い泡」が発生する場合、泡を遠心力により外方に吹き飛ばしただけでは、泡が割れないばかりか、泡が複数個に分割されて細泡として残存する傾向があった。
すなわち、圧縮型羽根による消泡処理では、「軽い泡」を十分に破泡することができず、消泡のための添加物を加える、又は散水を行うなどの追加的な処理が必要となるという課題があった。
【０００７】
この発明は、上述した事情に鑑みてなされたものであって、溶液上に界面活性剤が混入されていることで発生する軽い泡を確実に破泡させることができ、消泡のための添加物を加え、あるいは散水を行うなどの追加的な処理を行う必要のない、経済的な消泡装置の消泡体を提供することを目的とする。
【課題を解決するための手段】
【０００８】
上記課題を解決するために本発明は以下の手段を提供している。
すなわち、請求項１に示される発明は、回転する上ディスクと下ディスクとの間に、周方向に所定ピッチで破泡室を形成する複数の羽根を設けた消泡体であって、前記上ディスクには、前記破泡室の中心側へ連通する孔が形成され、前記下ディスクには、前記破泡室の中心側へ連通する孔が形成されることを特徴とする。
【０００９】
そして、この発明によれば、回転する上ディスクと下ディスクとの間に、周方向に所定ピッチで破泡室を形成する複数の羽根を設けた消泡体において、上ディスクに、破泡室の中心側へ連通する孔を形成し、かつ下ディスクに、破泡室の中心側へ連通する孔を形成した。これによって、例えば、下ディスクを被処理液の液面上の泡に接触させ、かつ上ディスクを空気中に位置させた状態で、これら上下ディスクを回転させた場合に、下ディスクの孔からは泡が吸引され、かつ上ディスクの孔からは空気が吸引されることになる。このとき、下ディスクの孔から吸い込まれた泡内に、上ディスクの孔から吸い込まれた空気の取り込みが可能となり、この状態で、当該泡に遠心力が加えられることになる。その結果、取り込まれた空気により泡を膨らませて、その表面積を増大し、さらに、膜厚が薄くなることによって泡に部分的な亀裂が生じて破泡し易くなる。
すなわち、本発明では、下ディスクの孔から吸い込まれた泡内に、上ディスクの孔から吸い込まれた空気を取り込んだ状態で、該泡に遠心力をかけることで、界面活性剤が混入されていることで発生する軽い泡をも確実に破泡させることができ、消泡のための添加物を加える、又は散水を行うなどの追加的な処理を不要とする経済的な消泡処理が可能となる。
【００１０】
また、請求項２に示される発明では、前記上ディスクと下ディスクとの間に、平面視した場合に、扇型をなす形状に破泡室を形成する羽根を配置することを特徴とする。
【００１１】
そして、この発明によれば、上ディスクと下ディスクとの間でかつ羽根の間に、周方向に所定ピッチで複数の破泡室を形成し、かつこれら破泡室のそれぞれを平面視、扇型をなす形状としたので、下ディスクの孔から吸い込まれた泡に遠心力が加わる際に、該泡を減圧下に置くことができ、これによって泡の表面積を増大し、泡の膜厚を薄くする事により、効率良く消泡処理を行うことができる。
【００１２】
また、請求項３に示される発明では、前記上ディスクと下ディスクとの間に、側面視した場合に、内周から外周へ向けて次第に拡大する傾斜状をなす破泡室を形成する羽根を配置することを特徴とする。
【００１３】
そして、この発明によれば、側面視した場合に、上下ディスク間に形成された羽根間の破泡室を、内周から外周へ向けて次第に拡大する傾斜状をなす形状としたので、下ディスクの孔から吸い込まれた泡に遠心力が加わる際に、該泡に高い圧力変動を与えて効率良く消泡処理を行うことができる。
【００１４】
また、請求項４に示される発明では、前記上ディスクと下ディスクとの間に、側面視した場合に、内周から外周へ向けて次第に拡大した後縮小する破泡室を複数形成する羽根を配置することを特徴とする。
【００１５】
そして、この発明によれば、側面視した場合に、上下ディスク間に形成された羽根間の破泡室を、内周から外周へ向けて次第に拡大した後縮小する傾斜状をなす形状としたので、下ディスクの孔から吸い込まれた泡に遠心力が加わることで、該泡が減圧されて破泡し、その後、破泡により形成された被処理液を加圧して外部に送り出すことができる。これにより該泡に圧力変動及び衝撃を与えて、効率良く消泡処理を行うことができる。
【００１６】
また、請求項５に示される発明では、  前記下ディスクの孔は、被処理液上の泡に接触させ、前記上ディスクの孔は、該被処理液の上方の空気を吸入する位置に配置されることを特徴とする。
【００１７】
そして、この発明によれば、消泡体の下ディスクの孔を、被処理液上の泡に接触させ、かつ上ディスクの孔は、該被処理液の上方の空気を吸入する位置に配置することで、下ディスクの孔から吸い込まれた泡内に、上ディスクの孔から吸い込まれた空気を取り込むことができ、かつこの状態で当該泡に遠心力を加えることができる。これにより、界面活性剤が混入されていることで発生する軽い泡をも確実に破泡させることが可能となる。
【発明の効果】
【００１８】
本発明によれば、回転する上ディスクと下ディスクとの間に、周方向に所定ピッチで破泡室を形成する複数の羽根を設けた消泡体において、上ディスクに、破泡室の中心側へ連通する孔を形成し、かつ下ディスクに、破泡室の中心側へ連通する孔を形成した。これによって、例えば、下ディスクを被処理液の液面上の泡に接触させ、かつ上ディスクを空気中に位置させた状態で、これら上下ディスクを回転させた場合に、下ディスクの孔からは泡が吸引され、かつ上ディスクの孔からは空気が吸引されることになる。このとき、下ディスクの孔から吸い込まれた泡内に、上ディスクの孔から吸い込まれた空気を取り込み可能となり、この状態で、当該泡に遠心力が加えられることになる。その結果、空気が取り込まれた泡が破泡室内にて膨らんで、泡の表面積が増大し、これによって泡に部分的な亀裂が生じて破泡が生じ易くなる。
すなわち、本発明では、下ディスクの孔から吸い込まれた泡内に、上ディスクの孔から吸い込まれた空気を取り込んだ状態で、該泡に遠心力をかけることで、界面活性剤が混入されていることで発生する軽い泡をも確実に破泡させることができ、消泡のための添加物を加える、又は散水を行うなどの追加的な処理を不要とする経済的な消泡処理が可能となる。
【図面の簡単な説明】
【００１９】
【図１】本発明に係る消泡体が取り付けられる消泡装置を示す正断面図である。
【図２】本発明の第１実施形態に係る消泡体を示す図であって、図２（Ａ）は平面図、図２（Ｂ）は図２（Ａ）のＩＩ−ＩＩ線に沿って切断した正断面図である。
【図３】本発明の第２実施形態に係る消泡体を示す図であって、図３（Ａ）は平面図、図３（Ｂ）は図３（Ａ）のＩＩＩ−ＩＩＩ線に沿って切断した正断面図である。
【図４】本発明の第３実施形態に係る消泡体を示す図であって、図４（Ａ）は平面図、図４（Ｂ）は図４（Ａ）のＩＶ−ＩＶ線に沿って切断した正断面図である。
【発明を実施するための形態】
【００２０】
（第１実施形態）
本発明の第１実施形態について図１及び図２を参照して説明する。
図１は、内部に被処理液Ｗが貯留される筒状の処理槽１に、消泡装置１０（後述する）が設置された状態を示す正断面図である。処理槽１は、排水を濃縮して半固形状にし、最後は焼却する設備の一部に設けられるものであって、給排水装置２を通じて被処理液Ｗとなる排水が供給又は排出される。
なお、被処理液Ｗとなる排水には、例えば、エチレングリコールや界面活性剤、アクリルアミドやシアノアクリレート等の接着成分などが含まれ、輸送、撹拌、遠心分離処理などで生じた泡（符号Ｂで示す）が水面に浮遊した状態となっている。
【００２１】
消泡装置１０が設けられる処理槽１は、周囲を囲む側壁３とその上部を覆うスラブ４とを有し、このスラブ４の中央に形成された開口部５には、筒状の支持部６が設けられている。この支持部６の上部には取付架台１１が設けられており、この取付架台１１により前記消泡装置１０が支持されている。前記取付架台１１の中央部には、駆動モータＭが設けられ、この駆動モータＭの回転軸１２に、本発明に係る消泡体２０が取り付けられている。
駆動モータＭの回転軸１２は、処理槽１の中央上部に上下方向に配置されるものであって、その下端部に、水平となるように消泡体２０が取り付けられている。また、回転軸１２は、その軸線１２Ａに沿うように取付架台１１に上下方向に移動自在に設けられており、二点鎖線で示す上方位置から、実線で示す下方の消泡処理位置との間を移動することができるようになっている。
【００２２】
次に、図２（Ａ）の平面図、図２（Ｂ）の正断面図を参照して、消泡装置１０のモータ回転軸１２先端に取り付けられる、本発明に係る消泡体２０について説明する。
【００２３】
消泡体２０は、互いに間隔をおいて平行な位置関係に設けられた上ディスク２１と下ディスク２２との間に、周方向に沿って所定ピッチで破泡室２３を形成する複数の羽根２４を設けた構造である。これら羽根２４は、上下ディスク２１・２２間を連結するように図中上下方向に空間を仕切るように一定のピッチで配置され、これにより該羽根２４の間に、破泡室２３を形成している。
【００２４】
そして、このような構成により、図２（Ａ）に示すように、羽根２４の間でありかつ上ディスク２１と下ディスク２２との間に、半径方向外方に向かうに従い幅広になり、平面視、扇型をなす形状の破泡室２３が、周方向に所定ピッチで複数形成されることになる。
【００２５】
この消泡体２０において、上ディスク２１には、羽根２４の間に位置する破泡室２３の中心側へ連通する孔２１Ａが形成され、また、下ディスク２２には、該孔２１Ａと対向するように破泡室２３の中心側へ連通する孔２２Ａが形成されている。
また、羽根２４の間でありかつ上下ディスク２１・２２間における破泡室２３の外周縁部は、破泡処理した泡Ｂの液体を処理槽１に戻すための開口部２３Ａとなっている。
【００２６】
そして、このような消泡体２０では、下ディスク２２の孔２２Ａを、被処理液Ｗ上の泡Ｂに接触させ、かつ上ディスク２１の孔２１Ａを、該被処理液Ｗの上方の空気を吸入する位置に配置される。これによって、駆動モータＭの駆動によって、消泡体２０がその内部の羽根２４とともに水平面内で回転した場合に、下ディスク２２の孔２２Ａからは泡Ｂが吸引され、かつ上ディスク２１の孔２１Ａからは空気が吸引されることになる。
【００２７】
以上のように構成された消泡体２０の作用について説明する。
図１及び図２に示すように、まず、モータ回転軸１２の軸線１２Ａに沿って上下方向に位置を調整することで、消泡体２０の下ディスク２２を被処理液Ｗの液面上の泡Ｂに接触させ、かつ上ディスク２１を空気中に位置するように配置する。なお、上ディスク２１のほとんど全部が泡Ｂに没するように深く配置しても良い。
【００２８】
その後、図２に矢印ａで示すように、駆動モータＭの回転軸１２を駆動することにより、上下ディスク２１・２２を回転させる。これにより、下ディスク２２の孔２２Ａからは、被処理液Ｗ上の泡Ｂが吸引され、かつ上ディスク２１の孔２１Ａからは、被処理液Ｗ上方の空気（および／または  上部の泡Ｂ）が吸引されることになる。
このとき、下ディスク２２の孔２２Ａから吸い込まれた泡Ｂの内部に、上ディスク２１の孔２１Ａから吸い込まれた空気が取り込まれ易い状態となり（図２（Ｂ）参照）、この状態で、当該泡Ｂに遠心力が加えられることになる。その結果、空気が取り込まれた泡Ｂが膨らんで、泡Ｂの表面積が増大し、これによって泡Ｂに部分的な亀裂が生じて破泡し易くなる。
また、上ディスク２１と下ディスク２２との間でかつ羽根２４間に、周方向に所定ピッチで複数形成された破泡室２３のそれぞれは、半径方向外方に向かうに従い幅広になるように、平面視、扇型をなすように形成されているので、下ディスク２２の孔２２Ａから吸い込まれた泡Ｂに遠心力が加わる際に、泡Ｂが外方に移動するに従い周囲の圧力が減少する。その結果、当該泡Ｂを減圧下に置くことができ効率良く消泡処理を行うことができる。
【００２９】
以上詳細に説明したように本実施形態に示される消泡体２０では、回転する上ディスク２１と下ディスク２２との間に、周方向に所定ピッチで破泡室２３を形成する複数の羽根２４を設けた構造において、上ディスク２１に、破泡室２３の中心側へ連通する孔２１Ａを形成し、かつ下ディスク２２に、破泡室２３の中心側へ連通する孔２２Ａを形成した。
これによって、例えば、下ディスク２２を被処理液Ｗの液面上の泡Ｂに接触させ、かつ上ディスク２１を空気中に位置させた状態で、これら上下ディスク２１・２２を回転させた場合に、下ディスク２２の孔２２Ａからは泡Ｂが吸引され、かつ上ディスク２１の孔２１Ａからは空気が吸引されることになる。このとき、下ディスク２２の孔２２Ａから吸い込まれた泡内に、上ディスク２１の孔２１Ａから吸い込まれた空気を取り込み可能となり、この状態で、当該泡Ｂに遠心力が加えられることになる。その結果、空気が取り込まれた泡Ｂが破泡室２３にて膨らんで、表面積が増大し、これによって泡Ｂに部分的な亀裂が生じて破泡が生じ易くなる。
【００３０】
すなわち、本実施形態に示される消泡体２０では、下ディスク２２の孔２２Ａから吸い込まれた泡内に、上ディスク２１の孔２１Ａから吸い込まれた空気を取り込んだ状態で、該泡Ｂに遠心力をかけることで、界面活性剤が混入されていることで発生する軽い泡をも確実に破泡させることができ、消泡のための添加物を加える、又は散水を行うなどの追加的な処理を不要とする経済的な消泡処理が可能となる。
【００３１】
また、本実施形態に示される消泡体２０では、上ディスク２１と下ディスク２２との間でかつ羽根２４間に、周方向に所定ピッチで複数の破泡室２３を形成し、かつ該破泡室２３のそれぞれを、平面視、扇型をなす形状としたので、下ディスク２２の孔２２Ａから吸い込まれた泡Ｂに遠心力が加わる際に、該泡Ｂを減圧下に置くことができ、これによって効率良く消泡処理を行うことができる。
【００３２】
（第２実施形態）
本発明の第２実施形態について図３を参照して説明する。
【００３３】
第２実施形態に示される消泡体３０が、第１実施形態に示される消泡体２０と構成を異にする点は、孔３１Ａ・３２Ａを有する上下ディスク３１・３２、及びこれら上下ディスク３１・３２間に形成された羽根３３の形状である。
すなわち、第２実施形態に示される消泡体３０では、図３（Ａ）の平面図及び図３（Ｂ）の側断面図に示すように、上ディスク３１が、駆動モータＭにおける回転軸１２の軸線１２Ａの周囲にて、該軸線１２Ａに対して直交する位置関係に配置された水平面３１Ｂを有している。また、下ディスク３２は、上ディスク３１の水平面３１Ｂに対して、下方に向けて先端部が連続的に傾斜する位置関係に配置されている。
また、羽根３３は、上下ディスク３１・３２間を連結するように図中上下方向に空間を仕切るように一定のピッチで配置され、該羽根３３の間に、破泡室３４を形成している。また、該羽根３３は、図３（Ｂ）に示すように側面視した場合に、内周から外周へ向けて次第に拡大する傾斜状を有しており、これに伴い、羽根３３間に形成された破泡室３４も、側面視した場合に、内周から外周へ向けて次第に拡大する傾斜状をなしている。
【００３４】
一方、羽根３３間に形成された破泡室３４は、図３（Ａ）に示すように、平面視した場合に、径方向外方に向かうに従い幅広になるように、扇型をなす形状に形成されている。
すなわち、第２実施形態の破泡室３４では、平面視した場合（図３（Ａ）参照）、及び側面視した場合（図３（Ｂ）参照）のいずれにおいても、半径方向外方に向かうに従い幅広になるように形成されており、下ディスク３２の孔３２Ａから吸い込まれた泡Ｂに遠心力が加わる際に、泡Ｂが外方に移動するに従い周囲の圧力が急激に減少する。その結果、当該泡Ｂに高い圧力変動を与えて効率良く消泡処理を行うことができる。
【００３５】
以上詳細に説明したように第２実施形態に示される消泡体３０では、第１実施形態と同様に、下ディスク３２を被処理液Ｗの液面上の泡Ｂに接触させ、かつ上ディスク３１を空気中に位置させた状態で、これら上下ディスク３１・３２を回転軸１２の軸線１２Ａを中心として回転させた場合に、下ディスク３２の孔３２Ａからは泡Ｂが吸引され、かつ上ディスク３１の孔３１Ａからは空気が吸引されることになる。このとき、下ディスク３２の孔３２Ａから吸い込まれた泡内に、上ディスク３１の孔３１Ａから吸い込まれた空気を取り込み可能となり、この状態で、当該泡Ｂに遠心力が加えられることになる。その結果、空気が取り込まれた泡Ｂが破泡室３４にて膨らんで、泡Ｂの表面積が増大し、これによって泡Ｂに部分的な亀裂が生じて破泡が生じ易くなる。
また、上記消泡体３０では、平面視した場合（図３（Ａ）参照）、及び側面視した場合（図３（Ｂ）参照）のいずれにおいても、上下ディスク３１・３２の羽根３３間に形成された破泡室３４を、内周から外周へ向けて次第に拡大する傾斜状をなす形状としたので、下ディスク３２の孔３２Ａから吸い込まれた泡Ｂに遠心力が加わる際に、該泡Ｂを高い減圧変動下に置くことができ、これによって効率良く消泡処理を行うことができる。
【００３６】
（第３実施形態）
本発明の第３実施形態について図４を参照して説明する。
【００３７】
第３実施形態に示される消泡体４０が、第１及び第２実施形態に示される消泡体２０・３０と構成を異にする点は、孔４１Ａ・４２Ａを有する上下ディスク４１・４２、及びこれら上下ディスク４１・４２間に形成された羽根４３の形状である。
すなわち、第３実施形態に示される消泡体４０では、図４（Ａ）の平面図及び図４（Ｂ）の側断面図に示すように、上ディスク４１が、駆動モータＭにおける回転軸１２の軸線１２Ａの周囲にて、該軸線１２Ａに対して直交する位置関係に配置された水平面４１Ｂと、該水平面４１Ｂの先端位置にて該水平面４１Ｂと一体に設けられて該水平面４１Ｂに対して下方に傾斜するように配置された傾斜面４１Ｃとから構成されている。
また、下ディスク４２は、回転軸１２の軸線１２Ａに対して直交する位置関係に配置された水平面４１Ｂに対して、下方に向けて先端部が連続的に傾斜する位置関係に配置されている。
また、羽根４３は、上下ディスク４１・４２間を連結するように図中上下方向に空間を仕切るように一定のピッチで配置され、該羽根４３の間に、破泡室４４を形成している。また、該羽根４３は、図４（Ｂ）に示すように側面視した場合に、内周から外周へ向けて次第に拡大した後縮小する傾斜状を有している。これに伴い、上下ディスク４１・４２間でかつ羽根４３間に形成された破泡室４４も、側面視した場合に、内周から外周へ向けて次第に拡大した後縮小する傾斜状をなしている。
【００３８】
以上詳細に説明したように第３実施形態に示される消泡体４０では、第１、第２実施形態と同様に、下ディスク４２を被処理液Ｗの液面上の泡Ｂに接触させ、かつ上ディスク４１を空気中に位置させた状態で、これら上下ディスク４１・４２を回転軸１２の軸線１２Ａを中心として回転させた場合に、下ディスク４２の孔４２Ａからは泡Ｂが吸引され、かつ上ディスク４１の孔４１Ａからは空気が吸引されることになる。このとき、下ディスク４２の孔４２Ａから吸い込まれた泡内に、上ディスク４１の孔４１Ａから吸い込まれた空気を取り込み可能となり、この状態で、当該泡Ｂに遠心力が加えられることになる。その結果、空気が取り込まれた泡Ｂが破泡室４４で膨らんで、表面積が増大し、これによって泡Ｂに部分的な亀裂が生じて破泡が生じ易くなる。
また、上記消泡体４０では、上下ディスク４１・４２の羽根４３間に形成された破泡室４４を、内周から外周へ向けて次第に拡大した後縮小する傾斜状をなす形状としたので、下ディスク４２の孔４２Ａから吸い込まれた泡Ｂに遠心力が加わることで、該泡Ｂの表面積を増大して破泡するが、その際、残った該泡Bを被処理液Wと同時に外部へ送り出す時に加圧することで破泡することができる。これにより該泡Ｂに圧力変動及び衝撃を与えて、効率良く消泡処理を行うことができる。
【００３９】
（変形例１）
なお、上記第１〜第３実施形態では、上ディスク２１・３１・４１の孔２１Ａ・３１Ａ・４１Ａを同じ大きさに形成したが、泡Ｂの種類によってその大きさを可変としても良い。つまり、泡Ｂが最も破泡する空気量が供給されるように、上ディスク２１・３１・４１に形成された２１Ａ・３１Ａ・４１Ａの大きさを調整しても良い。また、泡Ｂが最も破泡する空気量が供給されるように、上ディスク２１・３１・４１に形成された孔２１Ａ・３１Ａ・４１Ａの数も適宜調整しても良い。
また、上記に限定されず、下ディスク２２・３２・４２に形成された孔２１Ｂ・３１Ｂ・４１Ｂの大きさ及び数も同時に調整しても良い。
【００４０】
（変形例２）
また、上記第１〜第３実施形態では、消泡体２０・３０・４０の上ディスク２１・３１・４１及び下ディスク２２・３２・４２の周方向の全周に亙って一定間隔で羽根２４・３３・４３を設けるようにしたが、これに限定されず、泡Ｂが最も破泡するように、間欠的又は部分的に羽根２４・３３・４３及びこれらの間の破泡室２３・３４・４４を設けるようにしても良い。また、破泡室２３・３４・４４の容積も適宜調整しても良い。
【００４１】
（変形例３）
また、上記第１〜第３実施形態では、モータ回転軸１２の軸線１２Ａに沿って上下方向に位置を調整することで、消泡体２０・３０・４０の下ディスク２２・３２・４２を被処理液Ｗの液面上の泡Ｂに接触させ、かつ上ディスク２１・３１・４１を空気中に位置するようにしたが、このとき、被処理液Ｗの液面の位置を検出する液面センサを設け、該液面センサの出力に応じて、消泡体２０・３０・４０の下ディスク２２・３２・４２が被処理液Ｗの液面上の泡Ｂに常時接触するように、昇降機構により上下位置を自動調整しても良い。
また、このとき、被処理液Ｗ上の泡Ｂを検出する泡センサを設け、該泡センサの出力に応じて、消泡体２０・３０・４０の下ディスク２２・３２・４２が被処理液Ｗの液面上の泡Ｂに常時接触するように、昇降機構により上下位置を自動調整しても良い。
【００４２】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００４３】
本発明は、消泡装置の回転軸の先端に取り付ける消泡羽根に係り、該回転軸を駆動することで被処理液上の泡を破泡させる消泡体に関する。
【符号の説明】
【００４４】
１  処理槽
１０  消泡装置
１２  回転軸
２０  消泡体
２１  上ディスク
２１Ａ  孔
２２  下ディスク
２２Ａ  孔
２３  破泡室
２４  羽根
３０  消泡体
３１  上ディスク
３１Ａ  孔
３１Ｂ  水平面
３２  下ディスク
３２Ａ  孔
３３  羽根
３４  破泡室
４０  消泡体
４１  上ディスク
４１Ａ  孔
４１Ｂ  水平面
４１Ｃ  傾斜面
４２  下ディスク
４２Ａ  孔
４３  羽根
４４  破泡室
Ｗ  被処理液
Ｂ  泡
【図１】
2014064986.tif 000003
【図２】
2014064986.tif 000004
【図３】
2014064986.tif 000005
【図４】
2014064986.tif 000006